(57)【特許請求の範囲】
【請求項１】
固定接点を有する一対の固定端子、及び前記一対の固定接点にそれぞれ接離する一対の可動接点が一面に並設される可動接触子からなる接点ブロックと、
前記固定接点に前記可動接点が接離するように前記可動接触子を駆動する駆動手段と、
前記可動接点の並設方向において前記接点ブロックを介して互いに対向して設けられ、互いに対向する面の各極性が同一である一対の永久磁石と、
前記一対の永久磁石間に配設される第一のヨークとを備え、
前記一対の永久磁石と前記第一のヨークと前記一対の固定接点とは、前記可動接点の並設方向において、前記一対の永久磁石のうち一方の永久磁石、前記一対の固定接点のうち一方の固定接点、前記第一のヨーク、前記一対の固定接点のうち他方の固定接点、前記一対の永久磁石のうち他方の永久磁石の順で配置される
ことを特徴とする接点装置。
【請求項２】
前記可動接点の並設方向、及び前記可動接点と前記固定接点との接離方向に直交する方向における前記可動接触子の各端面に各々対向して前記一対の永久磁石間を接続する一対の第二のヨークが設けられることを特徴とする請求項１記載の接点装置。
【請求項３】
前記可動接触子は、前記可動接点の並設方向、及び前記可動接点と前記固定接点との接離方向に直交する方向において、前記一対の永久磁石の互いに対向する面の中心を結ぶ直線よりも一方側に配設されることを特徴とする請求項１または２記載の接点装置。
【請求項４】
前記一対の永久磁石は、互いに対向する各面の中心が、前記一対の固定接点を結ぶ直線の延長線上に位置するように配設されることを特徴とする請求項１乃至３いずれか記載の接点装置。
【請求項５】
前記駆動手段は、前記可動接触子を固定接点側へ付勢する接圧ばねと、前記可動接触子の前記固定接点側への移動を規制する規制手段と、この規制手段が連結される可動軸と、前記可動接点が前記固定接点に接離するように前記可動軸を駆動させる電磁石ブロックとを備えることを特徴とする請求項１乃至４いずれか記載の接点装置。
【請求項６】
前記可動接触子の他面に当接してこの可動接触子を介して前記第一のヨークに対向する第三のヨークが設けられることを特徴とする請求項１乃至５いずれか記載の接点装置。
【請求項７】
前記可動軸は、前記可動接触子に形成される挿通孔に移動自在に挿通される軸部と、この軸部の一端に設けられて前記可動接触子の一面に当接する当接部とから構成されることを特徴とする請求項５または６記載の接点装置。
【請求項８】
前記第一のヨークは、前記可動軸の当接部を兼ねることを特徴とする請求項７記載の接点装置。
【請求項９】
前記第一のヨークは、前記可動軸の当接部を兼ねてこの可動軸と一体に形成されることを特徴とする請求項７または８記載の接点装置。
【請求項１０】
前記規制手段は、前記第一のヨーク及び前記可動接触子及び前記接圧ばねを保持し、前記第一のヨークを介して可動接触子の固定接点側への移動を規制することを特徴とする請求項５または６記載の接点装置。
【請求項１１】
前記接点ブロックは、容器内に収納され、前記第一のヨークは、少なくとも外周の一部が前記容器の内壁に当接することを特徴とする請求項１乃至１０いずれか記載の接点装置。
【請求項１２】
前記接点ブロックは、容器内に収納され、前記第一、第三のヨークは、少なくとも外周の一部が前記容器の内壁にそれぞれ当接することを特徴とする請求項９乃至１１いずれか記載の接点装置。
【請求項１３】
前記第一のヨークは、平板状に形成されることを特徴とする請求項１乃至８いずれか記載の接点装置。
【請求項１４】
前記第一、第三のヨークは、少なくともいずれか一方が平板状に形成されることを特徴とする請求項９乃至１２いずれか記載の接点装置。
【請求項１５】
前記第一のヨークは、前記可動接触子に対向する平板状の基部と当該基部の端部から可動接触子側へ向けて延設される一対の延設部とから略断面略コの字状に形成されることを特徴とする請求項１乃至８いずれか記載の接点装置。
【請求項１６】
前記第一、第三のヨークは、少なくともいずれか一方が前記可動接触子に対向する平板状の基部と、当該基部の端部から可動接触子側へ向けて延設される一対の延設部とから略断面略コの字状に形成されることを特徴とする請求項９乃至１２いずれか記載の接点装置。
【請求項１７】
前記第一のヨークは、前記可動軸の軸方向において、前記第三のヨークに比べて厚みが厚く形成されることを特徴とする請求項９乃至１６いずれか記載の接点装置。
【請求項１８】
前記第一、第三のヨークの間のギャップは、少なくとも前記可動接点と前記固定接点とが当接した際に、前記可動接触子の側端部に対向することを特徴とする請求項１５乃至１７いずれか記載の接点装置。
【請求項１９】
前記一対の永久磁石と各々対向する第一の面の極性が、対向する永久磁石の面の極性とは異極に設定され、一対の第二のヨークと各々対向する第二の面の極性が、第一の面の極性とは異極に設定されて、前記一対の永久磁石間に配設される永久磁石片を備えることを特徴とする請求項１乃至１８いずれか記載の接点装置。
【請求項２０】
前記第三のヨークは、前記可動接触子に当接する面とは反対の面に前記接圧ばねの一端が嵌まり込む溝部が形成されることを特徴とする請求項９乃至１９いずれか記載の接点装置。
【請求項２１】
前記第三のヨークは、前記可動接触子に当接する面とは反対の面に前記接圧ばねの一端に嵌まり込む突部が形成されることを特徴とする請求項９乃至１９いずれか記載の接点装置。
【請求項２２】
前記固定接点は、前記固定端子に一体、または、別体に設けられることを特徴とする請求項１乃至２１いずれか記載の接点装置。
【請求項２３】
前記可動接点は、前記可動接触子に一体、または、別体に設けられることを特徴とする請求項１乃至２２いずれか記載の接点装置。
【発明の詳細な説明】
【技術分野】
【０００１】
本発明は、接点装置に関するものである。
【背景技術】
【０００２】
従来から、電磁継電器やスイッチ、タイマー等に用いられる接点装置において、接点が接離する際に発生するアーク電流を、接点近傍に配置した永久磁石の力によって引き伸ばして消弧を行う磁気ブロー構造を備えたものが提供されている。
【０００３】
上記磁気ブロー構造を備える接点装置の一例として、図２７、または、図２８に示すように、固定接点８１１を有する一対の固定端子８１及び一対の固定接点８１１に各々接離する一対の可動接点８２１を備える可動接触子８２からなる接点ブロック８と、可動接触子８２を駆動する図示しない駆動ブロックと、接点ブロック８近傍に配設される永久磁石９とを備えたものが知られている（例えば特許文献１、２参照）。
【０００４】
可動接触子８２は、略矩形板状に形成されて長手方向に沿って一対の可動接点８２１が並設されている。そして、可動接触子８２が、駆動ブロックによって固定端子８１側へ移動されることにより、一対の可動接点８２１が一対の固定接点８１１に各々当接する。
【０００５】
また、永久磁石９は、可動接触子８２の長手方向における一方側と他方側とにそれぞれ接点ブロック８を介して対向して配設される。
【０００６】
そして、可動接点８２１が、固定接点８１１に接離する際、接点間に発生するアーク電流は、一対の永久磁石９によって発生する磁場によって引き伸ばされてアークの遮断が行われる。
【先行技術文献】
【特許文献】
【０００７】
【特許文献１】特開２００４−７１５１２号公報
【特許文献２】特開２００８−２２６５４７号公報
【発明の概要】
【発明が解決しようとする課題】
【０００８】
上記従来技術に示す接点装置では、一対の永久磁石９が接点ブロック９の長手方向両端側にそれぞれ配設されていることから、一対の永久磁石９間の磁気ギャップが大きくなり、当該磁気ギャップで発生する漏れ磁束が多くなる。そのため、接点間に発生するアークを引き伸ばす力が弱く、十分なアーク遮断性能を得ることができない虞があった。
【０００９】
ここで、上記接点装置においてアーク遮断性能を向上させる方法としては、一対の永久磁石９を大きくする方法が考えられるが、その場合、永久磁石９のコストアップや接点装置の外径サイズが大型化するといった問題がある。
【００１０】
本発明は、上記事由に鑑みてなされたものであり、その目的は、安定したアーク遮断性能を得ることができ、且つ、小型化を図った接点装置を提供することにある。
【課題を解決するための手段】
【００１１】
上記課題を解決するために第１の発明は、固定接点を有する一対の固定端子、及び前記一対の固定接点にそれぞれ接離する一対の可動接点が一面に並設される可動接触子からなる接点ブロックと、前記固定接点に前記可動接点が接離するように前記可動接触子を駆動する駆動手段と、前記可動接点の並設方向において前記接点ブロックを介して互いに対向して設けられ、互いに対向する面の各極性が同一である一対の永久磁石と、前記一対の永久磁石間に配設される第一のヨークとを備え、前記一対の永久磁石と前記第一のヨークと前記一対の固定接点とは、前記可動接点の並設方向において、前記一対の永久磁石のうち一方の永久磁石、前記一対の固定接点のうち一方の固定接点、前記第一のヨーク、前記一対の固定接点のうち他方の固定接点、前記一対の永久磁石のうち他方の永久磁石の順で配置されることを特徴とする。
【００１２】
第２の発明は、第１の発明において、前記可動接点の並設方向、及び前記可動接点と前記固定接点との接離方向に直交する方向における前記可動接触子の各端面に各々対向して前記一対の永久磁石間を接続する一対の第二のヨークが設けられることを特徴とする。
【００１３】
第３の発明は、第１または第２の発明において、前記可動接触子は、前記可動接点の並設方向、及び前記可動接点と前記固定接点との接離方向に直交する方向において、前記一対の永久磁石の互いに対向する面の中心を結ぶ直線よりも一方側に配設されることを特徴とする。
【００１４】
第４の発明は、第１乃至第３いずれかの発明において、前記一対の永久磁石は、互いに対向する各面の中心が、前記一対の固定接点を結ぶ直線の延長線上に位置するように配設されることを特徴とする。
【００１５】
第５の発明は、第１乃至第４いずれかの発明において、前記駆動手段は、前記可動接触子を固定接点側へ付勢する接圧ばねと、前記可動接触子の前記固定接点側への移動を規制する規制手段と、この規制手段が連結される可動軸と、前記可動接点が前記固定接点に接離するように前記可動軸を駆動させる電磁石ブロックとを備えることを特徴とする。
【００１６】
第６の発明は、第１乃至第５いずれかの発明において、前記可動接触子の他面に当接してこの可動接触子を介して前記第一のヨークに対向する第三のヨークが設けられることを特徴とする。
【００１７】
第７の発明は、第５または第６の発明において、前記可動軸は、前記可動接触子に形成される挿通孔に移動自在に挿通される軸部と、この軸部の一端に設けられて前記可動接触子の一面に当接する当接部とから構成されることを特徴とする。
【００１８】
第８の発明は、第７の発明において、前記第一のヨークは、前記可動軸の当接部を兼ねることを特徴とする。
【００１９】
第９の発明は、第７または第８の発明において、前記第一のヨークは、前記可動軸の当接部を兼ねてこの可動軸と一体に形成されることを特徴とする
第１０の発明は、第５または第６の発明において、前記規制手段は、前記第一のヨーク及び前記可動接触子及び前記接圧ばねを保持し、前記第一のヨークを介して可動接触子の固定接点側への移動を規制することを特徴とする。
【００２０】
第１１の発明は、第１乃至第１０いずれかの発明において、前記接点ブロックは、容器内に収納され、前記第一のヨークは、少なくとも外周の一部が前記容器の内壁に当接することを特徴とする。
【００２１】
第１２の発明は、第９乃至第１１いずれかの発明において、前記接点ブロックは、容器内に収納され、前記第一、第三のヨークは、少なくとも外周の一部が前記容器の内壁にそれぞれ当接することを特徴とする。
【００２２】
第１３の発明は、第１乃至第８いずれかの発明において、前記第一のヨークは、平板状に形成されることを特徴とする。
【００２３】
第１４の発明は、第９乃至第１２いずれかの発明において、前記第一、第三のヨークは、少なくともいずれか一方が平板状に形成されることを特徴とする。
【００２４】
第１５の発明は、第１乃至第８いずれかの発明において、前記第一のヨークは、前記可動接触子に対向する平板状の基部と当該基部の端部から可動接触子側へ向けて延設される一対の延設部とから略断面略コの字状に形成されることを特徴とする。
【００２５】
第１６の発明は、第９乃至第１２いずれかの発明において、前記第一、第三のヨークは、少なくともいずれか一方が前記可動接触子に対向する平板状の基部と、当該基部の端部から可動接触子側へ向けて延設される一対の延設部とから略断面略コの字状に形成されることを特徴とする。
【００２６】
第１７の発明は、第９乃至第１６いずれかの発明において、前記第一のヨークは、前記可動軸の軸方向において、前記第三のヨークに比べて厚みが厚く形成されることを特徴とする。
【００２７】
第１８の発明は、第１５乃至１７いずれかの発明において、前記第一、第三のヨークの間のギャップは、少なくとも前記可動接点と前記固定接点とが当接した際に、前記可動接触子の側端部に対向することを特徴とする。
【００２８】
第１９の発明は、第１乃至第１８いずれかの発明において、前記一対の永久磁石と各々対向する第一の面の極性が、対向する永久磁石の面の極性とは異極に設定され、一対の第二のヨークと各々対向する第二の面の極性が、第一の面の極性とは異極に設定されて、前記一対の永久磁石間に配設される永久磁石片を備えることを特徴とする。
【００２９】
第２０の発明は、第９乃至１９いずれかの発明において、前記第三のヨークは、前記可動接触子に当接する面とは反対の面に前記接圧ばねの一端が嵌まり込む溝部が形成されることを特徴とする。
【００３０】
第２１の発明は、第９乃至１９いずれかの発明において、前記第三のヨークは、前記可動接触子に当接する面とは反対の面に前記接圧ばねの一端に嵌まり込む突部が形成されることを特徴とする。
【００３１】
第２２の発明は、第１乃至２１いずれかの発明において、前記固定接点は、前記固定端子に一体、または、別体に設けられることを特徴とする。
【００３２】
第２３の発明は、第１乃至第２２いずれかの発明において、前記可動接点は、前記可動接触子に一体、または、別体に設けられることを特徴とする。
【発明の効果】
【００３３】
以上説明したように、本発明では、安定したアーク遮断性能を得ることができ、且つ、小型化を図った接点装置を提供することができるという効果がある。
【図面の簡単な説明】
【００３４】
【図１】本発明の実施形態１における接点装置の概略斜視図を示す。
【図２】同上における接点装置の要部拡大図を示す。
【図３】同上における接点装置に第一のヨークを設けた場合の要部拡大図を示す。
【図４】同上における接点装置の概略側面図を示す。
【図５】同上における接点装置を備えた電磁継電器の断面図を示す。
【図６】同上における接点装置を備えた電磁継電器の外観図を示す。
【図７】同上における接点装置を備えた電磁継電器の分解斜視図を示す。
【図８】同上における接点装置を備えた電磁継電器の要部断面図を示す。
【図９】本発明の実施形態２における接点装置の要部拡大図を示す。
【図１０】同上における接点装置の別形態における要部拡大図を示す。
【図１１】本発明の実施形態３における接点装置の概略斜視図を示す。
【図１２】同上における接点装置の概略側面図を示す。
【図１３】本発明の実施形態４における接点装置の概略斜視図を示す。
【図１４】同上における接点装置の概略側面図を示す。
【図１５】本発明の実施形態５における接点装置の概略斜視図を示す。
【図１６】同上における接点装置の概略側面図を示す。
【図１７】本発明の実施形態６における接点装置の概略斜視図を示す。
【図１８】同上における接点装置の概略側面図を示す。
【図１９】本発明の実施形態７における接点装置の概略図を示す。
【図２０】同上における接点装置の側断面図を示す。
【図２１】本発明の実施形態８における接点装置の概略図を示す。
【図２２】同上における接点装置の側断面図を示す。
【図２３】同上における接点装置の要部拡大図を示す。
【図２４】同上における接点装置に発生する磁路の概略図を示す。
【図２５】同上における接点装置の要部拡大図を示す。
【図２６】本発明の実施形態９における接点装置の要部拡大図を示す。
【図２７】従来例における１つ目の接点装置の断面図を示す。
【図２８】同上における２つ目の接点装置の断面図を示す。
【発明を実施するための形態】
【００３５】
以下、本発明の実施の形態を図面に基づいて説明する。
【００３６】
（実施形態１）
本実施形態の接点装置について図１〜３を用いて説明を行う。なお、図１における上下左右を基準とし、上下左右方向と直交する方向を前後方向として説明を行う。
【００３７】
本実施形態の接点装置は、固定接点３２を有する固定端子３３、及び固定接点３２に接離する可動接点３４を有する可動接触子３５、及び可動接触子３５を固定接点３２側へ付勢する接圧ばね３６からなる接点ブロック３と、前記可動接触子３５に形成される挿通孔３５ａを移動自在に挿通して可動接触子３５の固定接点側３２への移動を規制する可動軸５、及び可動接点３４が固定接点３２に接離するように可動軸５を駆動させる電磁石ブロック２からなる駆動手段と、接点ブロック３で発生するアークを短時間で消弧するための永久磁石４６とから構成される接点装置が知られている。
【００３８】
可動接触子３５は、略矩形平板状に形成されて上面における長手方向（左右方向）の両端側に可動接点３４が各々固着され、略中央に挿通孔３５ａが穿設されている。また、可動接触子３５は、下面が接圧ばね３６によって押圧される。ここで、一対の可動接点３４は、挿通孔３５ａからの距離がそれぞれ等しい位置に設けられている。
【００３９】
可動軸５は、可動接触子３５における挿通孔３５ａを移動自在に挿通する軸部５１と、当該軸部５１の上端に設けられて可動接触子３５の上面に当接し、可動接触子３５の固定接点３２側への移動を規制する矩形状の当接部５２とから構成される。
【００４０】
当接部５２は、軟鉄等の磁性材料から形成されていることから、当接部の機能とヨークの機能との両方を兼ね備えている。以下、当接部５２を第一のヨーク５２と称す。そして、第一のヨーク５２の下面中央に軸部５１が接続され、当該軸部５１は、可動接触子３５の中心を挿通している。
【００４１】
永久磁石４６は、略直方体状に形成されて可動接触子３５の短手方向に対して略平行に設けられる。ここで、永久磁石４６は、可動接触子３５の左側と右側とに固定接点３２と可動接点３４とのギャップ（接点ギャップ）を介して互いに対向してそれぞれ配設され、対向する一対の永久磁石４６は、互いに対向する各面の極性が同一（本実施形態ではＳ極）となっている。つまり、左側の永久磁石４６は、右面がＳ極で左面がＮ極となるように設けられ、右側の永久磁石４６は、左面がＳ極で右面がＮ極となるように設けられている。
【００４２】
また、一対の永久磁石４６は、互いに対向する各面の中心が、一対の固定接点３２を結ぶ直線の延長線上に位置するように配設されている。加えて、左側の永久磁石４６と左側の接点部との間の距離と、右側の永久磁石４６と右側の接点部との間の距離とが、略等しくなるように配設されている。従って、一対の永久磁石４６によって各接点部の周囲に発生する磁場は、可動接触子３５の挿通孔３５ａを通り前後方向に沿う直線Ｘを対象軸として左右対称に形成される。
【００４３】
更に、一対の永久磁石４６間に、可動軸５の第一のヨーク５２が位置することから一対の永久磁石４６間に発生する磁束は第一のヨーク５２側へ引き寄せられる。
【００４４】
本実施形態の接点装置では、電磁石ブロック２によって可動軸３７が上方へ移動されると、可動接触子３５に対する固定接点３２側への規制が解除され、可動接触子３５は、接圧ばね３７の付勢力によって固定接点３２側へ移動する。これにより、可動接点３４が固定接点３２に当接して接点間が導通する。
【００４５】
そして、固定接点３２と可動接点３４との間（接点間）で発生するアークは、可動接触子３５を流れる電流の方向がいずれの方向であっても、各接点部の周囲に形成される上記磁場によって互いに離れる方向へ引き伸ばされる。詳しく説明すると、図２において、電流が可動接触子３５を左から右へ流れる場合、左側の接点間で発生するアークは左後方へ引き伸ばされ、右側の接点間で発生するアークは右後方へ引き伸ばされる。
また、図２において、電流が可動接触子３５を右から左へ流れる場合、左側の接点間で発生するアークは左前方へ引き伸ばされ、右側の接点間で発生するアークは右前方へ引き伸ばされる。なお、図２中の番号３１は、後述する封止容器３１を示す。
【００４６】
ここで、本実施形態では、一対の永久磁石４６間で発生する磁束が、第一のヨーク５２に引き寄せられることから、各接点部近傍の磁束密度が高くなってアークを引き伸ばす力が向上している。従って、永久磁石５２のサイズを小さくした場合であっても、アークを消弧するために必要な力を維持することができる。すなわち、本実施形態の接点装置は、小型化を図りつつも、安定したアーク遮断性能を得ることができる。
【００４７】
また、上記記載の通り、各接点部の周囲には、直線Ｘを対象軸として左右対称な磁界が形成されていることから各接点部における磁束密度が略等しく、各接点部においてアークを引き伸ばす力が略等しくなってより安定したアーク遮断性能を得ることができる。
【００４８】
更に、図３に示すように、可動接触子３５の短手方向の各端面にそれぞれ対向して一対の永久磁石４６を接続する一対の第二のヨーク４７を設けることができる。第二のヨーク４７は、可動接触子３５の短手方向の端面に対向する基部４７ａ、及び基部４７ａの両端から当該基部４７ａに対して略垂直に各々延設されて一対の永久磁石４６にそれぞれ接続する一対の延設部４７ｂから略コの字状に形成される。ここで、一対の延設部４７ｂは、一対の永久磁石４６のＮ極側の面に接続される。つまり、一方の延設部４７ｂは、右側の永久磁石４６の右面に接続され、他方の延設部４７ｂは、左側の永久磁石４６の左面に接続される。
【００４９】
これにより、一対の永久磁石４６から出る磁束は、第二のヨーク４７に引き寄せられて漏れ磁束が抑制され、各接点近傍の磁束密度を向上することができて接点間に発生するアークを引き伸ばす力が増大する。従って、第二のヨーク４７を設けることで、永久磁石４６のサイズを小さくしてもアークを引き伸ばす力を維持できるため、アーク遮断性能を維持しつつ、更なる接点装置の小型化、低コスト化を図ることができる。
【００５０】
また、図４（ａ）に示すように、一般的に近傍にヨークが設けられていない導体（接触子３５）に電流が流れると、導体の中心を磁界の中心として同心円状に磁束が発生する。そのため、図４（ａ）において、導体内を右から左へ向かう磁束の数と導体内を左から右へ向かう磁束の数とが略等しく、導体に電磁力は発生しない。
【００５１】
しかし、本実施形態の接点装置では、接点間が導通した際、図４（ｂ）に示すように、可動接触子３５の上面に近接する第一のヨーク５２の影響を受けて、当該可動接触子３５の周囲に発生する磁界のバランスが崩れる。具体的に説明すると、図４（ｂ）において、右から左に向かう磁束の多くは第一のヨーク５２に引き寄せられて、図４（ａ）に示すようにヨークが可動接触子３５の近傍に設けられていない場合に比べて、可動接触子３５内を右から左に向かう磁束の数が減少する。
【００５２】
一方、図４（ｂ）において、左から右へ向かう磁束は全体的に上方へ移動して、図４（ａ）に示すようにヨークが可動接触子３５の近傍に設けられていない場合に比べて、可動接触子３５内を左から右へ向かう磁束の数が増加する。
【００５３】
すると、可動接触子３５内を左から右に向かう磁束によって当該可動接触子３５に作用する上向きの電磁力は、可動接触子３５内を右から左に向かう磁束によって当該可動接触子３５に作用する下向きの電磁力に比べて大きくなり、可動接触子３５には上向きの電磁力（吸引力）が働く。つまり、可動接触子３５には、当該可動接触子３５の変位方向と略平行（鉛直上向き）の固定接点側への吸引力が働く。
【００５４】
ここで、可動接触子３５に作用する鉛直上向きの吸引力は、可動接触子３５に発生する接点反発力（下向きの力）とは、１８０度反対方向の力であるため、当該接点反発力を最も効率よく打ち消す方向に働く力となっている。そのため、上記吸引力によって接点反発力を効率よく打ち消すことができ、接点間における接点圧の低下を低減することができる。
【００５５】
従って、本実施形態の接点装置は、第一のヨーク５２が可動接触子３５を固定接点側へ吸引することから、安定した接点の開閉性能を有している。
【００５６】
また、本実施形態では、第一のヨーク５２が、ヨークと当接部の両方の機能を有していると共に、第一のヨーク５２と軸部５１とが一体成型されて可動軸５が構成される。したがって、一つの部品（可動軸５）が、ヨーク及び当接部及び軸部の機能を有することで部品点数を削減することができる。
【００５７】
なお、本実施形態では、第一のヨーク５２と軸部５１とが一体成型されているが、第一のヨーク５２と軸部５１とを別々に成型した後に、第一のヨーク５２に軸部５１を嵌挿する等して一体に形成するものであってもよい。
【００５８】
そして、上記本実施形態の接点装置は、例えば、図５に示すような電磁継電器に用いられる。
【００５９】
上記電磁継電器は、図５（ａ）、（ｂ）、図６（ａ）、（ｂ）、図７（ａ）〜（ｃ）に示すように、中空箱型のケース４内に、電磁石ブロック２及び接点ブロック３を一体に組み合わせて構成される内器ブロック１と、永久磁石４６と、第二のヨーク４７とを収納する。以下、図５（ａ）における上下左右を基準とし、上下左右方向と直交する方向を前後方向とする。
【００６０】
電磁石ブロック２は、絶縁材料から形成され励磁巻線２２が巻装される中空筒状のコイルボビン２１、及び励磁巻線２２の両端に各々接続されるコイル端子２３、及びコイルボビン２１の筒内に固定され通電された励磁巻線２２によって磁化される固定鉄心２４、及び固定鉄心２４とはコイルボビン２１の軸方向に対向してコイルボビン２１の筒内に配置され励磁巻線２２の通電の入切に応じて固定鉄心２４に吸引されてコイルボビン２１の筒内を軸方向に移動する可動鉄心２５、及び磁性材料からなりコイルボビン２１を包囲する継鉄２６、及びコイルボビン２１の筒内に配設されて可動鉄心２５を下方へ付勢する復帰ばね２７を備える。
【００６１】
また、接点ブロック３は、絶縁材料から下面が開口した中空箱型に形成される封止容器３１、及び略円柱状に形成されて封止容器３１の上面に貫設されて下面に固定接点３２が設けられる固定端子３３、及び固定接点３２に接離する可動接点３４を有して封止容器３１内に配設される可動接触子３５、及び可動接触子３５の下面に当接し可動接触子３５を固定接点３３側へ付勢する接圧ばね３６を備える。
【００６２】
コイルボビン２１は、樹脂材料により上端及び下端に鍔部２１ａ、２１ｂが形成された中空円筒状に形成され、円筒部２１ｃの外周には励磁巻線２２が巻回されている。そして、円筒部２１ｃの下端側の内径は、上端側の内径よりも拡径されている。
【００６３】
励磁巻線２２は図７（ｃ）に示すように、コイルボビン２１の鍔部２１ａに設けられる一対の端子部１２１に端部が各々接続され、端子部１２１に接続されるリード線１２２を介して一対のコイル端子２３とそれぞれ接続される。
【００６４】
コイル端子２３は、銅等の導電性材料から形成され、半田等によりリード線１２２と接続される基部２３ａと、当該基部２３ａから略垂直に延設される端子部２３ｂとから形成されている。
【００６５】
継鉄２６は、図７（ｂ）に示すように、コイルボビン２１の上端側に配設される略矩形板状の第一の継鉄板２６Ａと、コイルボビン２１の下端側に配設される略矩形板状の第二の継鉄板２６Ｂと、第二の継鉄板２６Ｂの左右両端より上方へ向けて延設され、第一の継鉄板２６Ａに接続される一対の第三の継鉄２６Ｃとから構成される。
【００６６】
そして、第一の継鉄板２６Ａの上面側略中央には凹部２６ａが形成されており、当該凹部２６ａの略中央には挿通孔２６ｃが形成されている。そして、当該挿通孔２６ｃには、上端に鍔部２８ａが形成される有底円筒状の円筒部材２８が挿通し、鍔部２８ａが凹部２６ａに接合される。ここで、円筒部材２８の円筒部２８ｂ内の下端側には、磁性材料から略円柱状に形成された可動鉄心２５が配設され、更に円筒部２８ｂに磁性材料から略円柱状に形成された固定鉄心２４が挿入されて、固定鉄心２４と可動鉄心２５とが対向配置される。
【００６７】
また、第一の継鉄板２６Ａの上面には、周縁部が第一の継鉄板２６Ａに固定され、略中央に固定鉄心２４の上端に形成される鍔部２４ａを収納する空間を形成する凸部４５ａが設けられた金属からなるキャップ部材４５が設けられており、当該キャップ部材４５によって固定鉄心２４の抜け止めがなされる。
【００６８】
そして、コイルボビン２１の下端側の内周面と円筒部材２８の外周面との間に形成される隙間部分には、磁性材料からなる円筒状のブッシュ２６Ｄが嵌合されており、継鉄２６と固定鉄心２４と可動鉄心２５と共に磁気回路を形成している。
【００６９】
復帰ばね２７は、固定鉄心２４の軸方向に形成される挿通孔２４ｂを挿通すると共に、下端が可動鉄心２５の上面と当接し、上端がキャップ部材４５の下面に当接する。更に、復帰ばね２７は、可動鉄心２５とキャップ部材４５との間に圧縮状態で設けられており、可動鉄心２５を下方へ弾性付勢するものである。
【００７０】
可動軸５は、非磁性材料から上下方向に長い長尺丸棒状に形成される軸部５１と、当該軸部５１の上端に軸部５１と一体に形成される磁性材料からなる鍔状の第一のヨーク５２とから構成される。
【００７１】
軸部５１は、キャップ部材４５の凸部４５ａの略中央に形成される挿通孔４５ｂ、及び復帰ばね２７を挿通し、下端部に形成されるねじ部５１ａが、可動鉄心２５の軸方向に形成されるねじ孔２５ａに螺合することで可動鉄心２５と接続される。
【００７２】
第一のヨーク５２は、軟鉄から略矩形平板状に形成され、可動接触子３５の固定接点側への移動を規制する。つまり、第一のヨーク５２は、可動接触子３５の移動を規制する当接部の機能とヨークの機能とを有する。つまり、第一のヨーク５２が、可動軸５の当接部５２を兼ねており、可動軸５に一体に設けられている。
【００７３】
可動接触子３５は、略矩形状に形成された本体部３５ａの左右両端側に可動接点３４が固着されて略中央に形成される挿通孔３５ｂに可動軸５が挿通される。
【００７４】
固定端子３３は、銅等の導電性材料により略円柱状に形成され、上端に鍔部３３ａが形成され、下面に可動接点３４に対向する固定接点３２が固着されている。また、固定端子３３の上面から軸方向へねじ孔３３ｂが穿設されており、図示しない外部負荷等のねじ部が当該ねじ孔３３ｂに螺合されることで接続される。
【００７５】
封止容器３１はセラミック等の耐熱性材料から下面が開口した中空箱型に形成され、その上面には前記固定端子３３が貫設する２つの貫通穴３１ａが並設される。そして、固定接点端子３３が、鍔部３３ａを封止容器３１の上面から突出させた状態で貫通穴３１ａに貫設されてろう付けにより接合される。また、図７（ａ）に示すように、封止容器３１の開口周縁にはフランジ３８の一端がろう付けにより接合される。そして、フランジ３８の他端が第一の継鉄板２６Ａとろう付けにより接合されることで封止容器３１は密閉される。
【００７６】
更に、封止容器３１の開口部には、固定接点３２と可動接点３４との間で発生するアークを、封止容器３１とフランジ３８との接合部から絶縁するための絶縁部材３９が設けられている。
【００７７】
絶縁部材３９は、セラミックや合成樹脂等の絶縁性材料から上面が開口した略中空直方体状に形成され、下面略中央に形成される矩形枠３９ａ内の凹部に前記キャップ部材４５の凸部４５ａが嵌合される。また、絶縁部材３９の周壁の上端側が封止容器３１の周壁の内面に当接することで、固定接点３２と可動接点３４とからなる接点部から、封止容器３１とフランジ部３８とからなる接合部の絶縁を図っている。
【００７８】
更に、絶縁部材３９の内底面の略中央には、接圧ばね３６の内径と略同サイズの内径を有する円形枠３９ｃが形成され、当該円形枠３９ｃの略中央には、可動軸５が挿通する挿通孔３９ｂが形成される。そして、当該円形枠３９ｃ内の凹部に可動軸５が挿通した接圧ばね３６の下端部が嵌め込まれることで接圧ばね３６の位置ずれが防止される。
【００７９】
加えて、接圧ばね３６は、上端が可動接触子３５の下面に当接して絶縁部材３９と可動接触子３５との間において圧縮状態で設けられることで、可動接触子３５を固定接点３２側へ弾性付勢するものである。
【００８０】
永久磁石４６は、略直方体状に形成されて封止容器３１の左右方向の両側面にそれぞれ封止容器に当接して配設される。一対の永久磁石４６は、封止容器３１を介して対向して設けられ、互いに対向する面の極性が同一となっている（本実施形態ではＳ極）。ここで、一対の永久磁石４６は、封止容器３１内の固定接点３２と可動接点３４との接点ギャップを介して対向している。
【００８１】
第二のヨーク４７は、略矩形板状の基部４７ａと、当該基部４７ａの前後両端からそれぞれ当該基部４７ａに対して略垂直に延設される一対の延設部４７ｂとから略コの字状に形成され、封止容器３１の前面側及び後面側にそれぞれ配設される。基部４７ａは、封止容器３１の前後各側面に当接して設けられ、一対の延設部４７ｂが、永久磁石４６及び封止容器３１を左右方向から挟み込んでいる。つまり、一対の延設部４７ｂの内、一方の延設部４７ｂが、右側の永久磁石４６の右面（Ｎ極面）に当接し、他方の延設部４７ｂが、左側の永久磁石４６の左面（Ｎ極面）に当接している。
【００８２】
ケース４は、樹脂材料によって略矩形箱状に形成され、上面が開口した中空箱型のケース本体４１と、ケース本体４１の開口に覆設する中空箱型カバー４２とから構成される。
【００８３】
ケース本体４１は、左右側壁の前端に電磁継電器を取り付け面にねじ留めにより固定する際に用いられる挿通孔１４１ａが形成された突部１４１が設けられている。また、ケース本体４１の上端側の開口周縁には段部４１ａが形成されており、下端側に比べて外周が小さくなっている。そして、段部４１ａよりも上方の前面にはコイル端子２３の端子部２３ｂが嵌め込まれる一対のスリット４１ｂが形成されている。更に、段部４１ａよりも上方の後面には、一対の凹部４１ｃが左右方向に並設されている。
【００８４】
カバー４２は、下面が開口した中空箱型に形成されており、後面にはケース本体４１に組み付ける際にケース本体４１の凹部４１ｃに嵌まり込む一対の突部４２ａが形成されている。また、カバー４２の上面には、上面を左右に略２分割する仕切り部４２ｃが形成され、当該仕切り部４２ｃによって２分割された上面にはそれぞれ、固定端子３３が挿通する一対の挿通孔４２ｂが形成される。
【００８５】
そして、図７（ｃ）に示すように、ケース４に電磁石ブロック２及び接点ブロック３からなる内器ブロック１収納する際には、コイルボビン２１の下端の鍔部２１ｂとケース本体４１の底面との間に略矩形状の下側クッションゴム４３を介装し、封止容器３１とカバー４２との間に固定端子３３の鍔部３３ａが挿通する挿通孔４４ａが形成された上側クッションゴム４４を介装する。
【００８６】
上記電磁継電器では、復帰ばね２７が接圧ばね３６よりも高いばね係数を有しているため、復帰ばね２７の付勢力によって可動鉄心２５が下方へ摺動し、それに伴って可動軸５も下方へ移動する。これにより、可動軸５の第一のヨーク５２の移動に伴って可動接触子３５も下方へ移動するため、初期状態では可動接点３４が固定接点３２と離間した状態で設けられる。
【００８７】
そして、励磁巻線２２が通電されると可動鉄心２５が固定鉄心２４に吸引されて上方へ摺動するため、可動鉄心２５に連結された可動軸５も連動して上方へ移動する。これにより、可動軸５の第一のヨーク５２が固定接点３２側へ移動し、接圧ばね３６の付勢力により可動接触子３５も固定接点３２側へ移動することで、可動接触子３５に固着された可動接点３４が固定接点３２に当接して接点間が導通する。
【００８８】
上記構成からなる電磁継電器は、上記接点装置を備えていることから、安定した接点開閉性能を備えると共に、小型化、低コスト化を図ることができる。
【００８９】
ここで、上記電磁継電器は、接点間が導通した際、可動接触子３５の上面に可動軸５の第一のヨーク５２が近接する。すると、図４（ｂ）で説明した通り、可動接触子３５の周囲に発生する磁界のバランスが崩れて、可動接触子３５には、当該可動接触子３５の変位方向と略平行の鉛直上向きの吸引力が働く。
【００９０】
従って、接点間に接点反発力が働いた場合であっても、可動接触子３５には接点反発力とは１８０度反対方向の吸引力が働く。そのため、接点反発力を効率よく打ち消すことができ、接圧の低下や接点開離辞のアークによる接点溶着等の不具合を防止することができる。
【００９１】
更に、第一のヨーク５２が略平板状に形成されることで、第一のヨーク５２の可動接触子３５に対向する面における各点から可動接触子３５までの距離がそれぞれ略一定となって、可動接触子３５に働く吸引力を略均一にすることができる。
【００９２】
また、励磁巻線２２への通電がオフされると、復帰ばね２７の付勢力によって可動鉄心２５が下方へ摺動し、それに伴って可動軸５も下方へ向かって移動する。そのため、第一のヨーク５２が下方へ移動して可動接触子３５も下方へ移動するので、固定接点３２と可動接点３４とが離間し、接点間が遮断される。
【００９３】
なお、第一のヨーク５２は、図８に示すように、その前端及び後端がケース４の内壁に当接して設けられることで、接圧ばね３６のばねの巻き方向の回転力等を受けた場合であっても別途部品を設けることなく回転が防止される。ここで、本実施形態では、第一のヨーク５２の前端及び後端がケース４の内壁に当接しているが、第一のヨーク５２の一部のみがケース４の内壁に当接して第一のヨーク５２の回転が防止されるものであってもよい。
【００９４】
なお、本実施形態では、当接部５２は、軟鉄から形成されることで、当接部とヨークとの両方の機能を有したヨーク当接部として用いられているが、当接部５２を非磁性材料から形成して、別途ヨークを設けてもよい。その場合、ヨークは、一対の固定端子３３の略中央に設けられると共に、可動軸の軸心に略対向して設けられる。
【００９５】
また、本実施形態の接点装置は、封止接点装置であってもよい。
【００９６】
（実施形態２）
本実施形態の接点装置について図９を用いて説明を行う。なお、本実施形態の接点装置と実施形態１の接点装置とでは、一対の永久磁石４６に対する可動接触子３５の配置のみが異なり、実施形態１と共通する構造については、共通の符号を付して説明を省略する。なお、図９における上下左右を前後左右として説明を行う。更に、以下の説明では、可動接触子３５に左から右へ向かって電流が流れているものとして説明を行う。
【００９７】
実施形態１で示した通り、左側の接点部で発生するアークは左後方へ引き伸ばされ、右側の接点部で発生するアークは右後方へひき伸ばされる（図９中の矢印参照）。ここで、本実施形態では、可動接触子３５が、一対の第二のヨーク４７間において前方の第二のヨーク４７寄りに設けられている。つまり、可動接触子３５を、一対の第二のヨーク４７間の中央から前方の第二のヨーク４７寄りに移動した分だけ、可動接触子３５の後方側の空間が広くなっている。
【００９８】
従って、本実施形態の接点装置では、可動接触子３５を流れる電流の向きが図９において右向きの場合に、アークを引き伸ばす距離を実施形態１に比べて長くすることができて、順方向電流に対してのアーク遮断性能を向上させることができる。
【００９９】
また、図１０に示すように、一対の永久磁石４６の互いに対向する各面の中心が、一対の固定接点を結ぶ直線上に位置するように一対の永久磁石４６を各々配設することで、各接点部近傍の磁束密度を高めることができる。すなわち、アーク電流を後方側へ引き伸ばす力が強くなり、アーク遮断性能を更に向上させることができる。
【０１００】
なお、本実施形態では、可動接触子３５に流れる電流の向きが右向き場合について説明しているが、電流の向きが逆向き（右から左）の場合にも適用可能である。但し、その場合には、可動接触子３５を第二のヨーク４７間の中央から後方の第二のヨーク４７寄りに配置すればよい。
【０１０１】
また、本実施形態の接点装置は、封止接点装置であってもよい。
【０１０２】
（実施形態３）
本実施形態の接点装置について図１１を用いて説明を行う。なお、本実施形態の接点装置と実施形態１の接点装置とでは、可動軸５の第一のヨーク５３の形状のみが異なり、実施形態１と共通する構造については、共通の符号を付して説明を省略する。なお、図１１における上下左右を基準とし、上下左右方向と直交する方向を前後方向として説明を行う。
【０１０３】
本実施形態の第一のヨーク５３は、図１１に示すように、略矩形平板状の基部５３ａと、当該基部５３ａの前後両端から下方へ向けて延設された一対の延設部５３ｂとから断面略コの字状に形成されている。
【０１０４】
そして、接点間が導通した際には、当接部５３の基部５３ａの下面が可動接触子３５の上面に近接すると共に、一対の延設部５３ｂがそれぞれ可動接触子３５の前端及び後端に近接する。
【０１０５】
すると、図１２に示すように、可動接触子３５の上面及び前端及び後端に近接する第一のヨーク５３の影響を受けて、当該可動接触子３５の周囲に発生する磁界のバランスが崩れる。具体的に説明すると、図１２において可動接触子３５内を右から左に向かう磁束の多くは、第一のヨーク５３に引き寄せられる。そのため、前記図６（ｂ）に示す平板状の第一のヨーク５２が可動接触子３５の近傍に設けられている場合に比べて、可動接触子３５内を右から左に向かう磁束の数が更に減少する。
【０１０６】
一方、図１２において、可動接触子３５内を左から右へ向かう磁束は、全体的に上方へ移動して、前記図６（ｂ）に示す平板状の第一のヨーク５２が可動接触子３５の近傍に設けられている場合に比べて、可動接触子３５内を左から右へ向かう磁束の数が更に増加する。
【０１０７】
すると、可動接触子３５内を左から右に向かう磁束によって当該可動接触子３５に作用する上向きの電磁力が、可動接触子３５内を右から左に向かう磁束によって当該可動接触子３５に作用する下向きの電磁力に比べて更に大きくなる。そのため、可動接触子３５には、当該可動接触子３５の変位方向と略平行でより大きな鉛直上向きの電磁力（吸引力）が働く。
【０１０８】
ここで、可動接触子３５に作用する鉛直上向きの吸引力は、可動接触子３５に発生する接点反発力（下向きの力）とは、１８０度反対方向の力であるため、当該接点反発力を最も効率よく打ち消す方向に働く力となっている。そのため、実施形態１に比べて可動接触子３５に更に大きな上向きの吸引力が発生して、接点間の接点圧の低下をより一層防止することができる。
【０１０９】
従って、本実施形態の接点装置では、第一のヨーク５２によって可動接触子３５に対して、実施形態１よりも更に強い接点反発力を打ち消す力（吸引力）が働く。すなわち、本実施形態の接点装置は、負荷短絡時の電磁反発力に対する耐量をアップさせつつ、安定したアーク遮断性能を備え、より安定した接点の開閉性能を得ることができる。
且つ、  また、本実施形態では、第一のヨーク５３が、ヨークと当接部の両方の機能を有していると共に、第一のヨーク５３と軸部５１とが一体に形成されて可動軸５が構成される。したがって、一つの部品（可動軸５）が、ヨーク及び当接部及び軸部の機能を有することで部品点数を削減することができる。
【０１１０】
また、当接部５３は、一対の延設部５３ｂが、共にケース４の内壁に当接して設けられることで、接圧ばね３６のばねの巻き方向の回転力等を受けた場合であっても別途部品を設けることなく回転が防止される。なお、本実施形態では、一対の延設部５３ｂが、共にケース４の内壁に当接するが、一方の延設部５３ｂのみがケース４の内壁に当接して当接部５３の回転が防止されるものであってもよい。
【０１１１】
また、本実施形態では、第一のヨーク５３と軸部５１とが一体成型されているが、第一のヨーク５３と軸部５１とを別々に成型した後に、第一のヨーク５３に軸部５１を嵌挿する等して一体に形成するものであってもよい。
【０１１２】
なお、本実施形態では、当接部５３は、軟鉄から形成されることで、当接部とヨークとの両方の機能を有したヨーク当接部として用いられているが、当接部５２を非磁性材料から形成して、別途ヨークを設けてもよい。その場合、ヨークは、一対の固定端子３３の略中央に設けられると共に、可動軸の軸心に略対向して設けられる。
【０１１３】
また、本実施形態の接点装置は、封止接点装置であってもよい。
【０１１４】
（実施形態４）
本実施形態の接点装置について図１３を用いて説明を行う。但し、実施形態１と共通する構造については、共通の符号を付して説明を省略する。なお、図１３における上下左右を基準とし、上下左右方向と直交する方向を前後方向として説明を行う。
【０１１５】
本実施形態における接点装置と、図１に示す実施形態１の接点装置とで異なる点は、可動接触子３５の下面に当該可動接触子３５を介して第一のヨーク５２に対向する、例えば軟鉄等の磁性材料からなるヨーク板６（以下、第三のヨーク６と称する）が固着されている点である。
【０１１６】
本実施形態の接点装置では、駆動手段２によって可動軸５が上方へ変位すると、それに伴って可動軸５の第一のヨーク５２も上方へ変位する。すると、第一のヨーク５２の上方への変位に伴って可動接触子３５の上方（固定接点３２側）への規制が解除されて、可動接触子３５は接圧ばね３６の付勢力によって上方へ変位する。そして、可動接触子３５に設けられた可動接点３４が、固定接点３２に当接することで接点間が導通する。その際、第一のヨーク５２は、駆動手段２によって変位後の位置が保たれて、接圧ばね３６によって上方へ保持された可動接触子３５に当接または近接する。
【０１１７】
また、接点間が導通して可動接触子３５に電流が流れることで当該可動接触子３５の周囲に磁場が発生し、図１４に示すように、第一のヨーク５２と第三のヨーク６とを通る磁束が形成されて、第一のヨーク５２と第三のヨーク６との間に第一の磁気吸引力が発生する。
【０１１８】
そして、第一のヨーク５２と第三のヨーク６との間に働く第一の磁気吸引力によって、第三のヨーク６が第一のヨーク５２に吸引される。つまり、第三のヨーク６が固着された可動接触子３５に、当該可動接触子３５の変位方向と略平行な（可動接触子３５を固定接点３２側へ押し付ける）上向きの力が働く。
【０１１９】
ここで、可動接触子３５に上向きの力を及ぼす第一のヨーク５２と第三のヨーク６との間に働く第一の磁気吸引力は、可動接触子３５に発生する接点反発力（下向きの力）とは、略１８０度反対方向の力であるため、当該接点反発力を最も効率よく打ち消す方向に働く力となっている。そのため、本実施形態の接点装置では、上記第一の磁気吸引力によって接点反発力を効率よく打ち消すことができ、接点間における接圧の低下を低減することができる。
【０１２０】
従って、本実施形態の接点装置は、、負荷短絡時の電磁反発力に対する耐量をアップさせつつ、安定したアーク遮断性能を備え、より安定した接点の開閉性能を有している。
【０１２１】
また、本実施形態では、第一のヨーク５２が、ヨークと当接部の両方の機能を有していると共に、第一のヨーク５２と軸部５１とが一体成型されて可動軸５が構成される。したがって、一つの部品（可動軸５）が、ヨーク及び当接部及び軸部の機能を有することで部品点数を削減することができる。
【０１２２】
なお、本実施形態では、第一のヨーク５２と軸部５１とが一体成型されているが、第一のヨーク５２と軸部５１とを別々に成型した後に、第一のヨーク５２に軸部５１を嵌挿する等して一体に形成するものであってもよい。
【０１２３】
また、固定端子３２側の第一のヨーク５２は、第三のヨーク６に比べて固定端子３３からの磁束をより強く受けることで、磁束密度が高くなっている。そのため、第一のヨーク５２の上下方向における厚みを厚くする方が、第三のヨーク６の上下方向の厚みを厚くするよりも、上記第一の磁気吸引力を効率的に増大させることができる。従って、第一のヨーク５２の厚みを厚くすることで、接点間の接圧の低下をより確実に防止することができる。
【０１２４】
また、本実施形態では、当接部５２が、磁性材料から形成されることで、当接部とヨークとの両方の機能を有した第一のヨーク５２として用いられているが、当接部５２を非磁性材料から形成して、別途ヨークを設けてもよい。その場合、ヨークは、一対の固定端子３３の略中央に設けられると共に、可動軸５の軸心に対向して設けられる。
【０１２５】
更に、本実施形態では、第一のヨーク５２及び第三のヨーク６が、略矩形平板状に形成されていることから、第一のヨーク５２の第三のヨーク６に対向する面における各点から第三のヨーク６までの距離がそれぞれ略一定となって、第三のヨーク６に働く第一の磁気吸引力を均一にすることができる。
【０１２６】
また、本実施形態の接点装置は、封止接点装置であってもよい。
【０１２７】
（実施形態５）
本実施形態の接点装置について図１５を用いて説明を行う。なお、本実施形態の接点装置と実施形態４の接点装置とでは、ヨーク板７（第三のヨーク）の形状のみが異なり、実施形態４と共通する構造については、共通の符号を付して説明を省略する。なお、図１５における上下左右を基準とし、上下左右方向と直交する方向を前後方向として説明を行う。
【０１２８】
本実施形態の第三のヨーク７は、図１５に示すように、略矩形平板状の基部７ａと、当該基部７ａの前後両端から上方へ向けて延設された一対の延設部７ｂとから断面略コの字状に形成されている。
【０１２９】
そして、図１６に示すように、接点間が導通した際には、第三のヨーク７における延設部７ｂの先端が、第一のヨーク５２に近接することで、実施形態３に比べて第一のヨーク５２と第三のヨーク７とのギャップが小さくなり、第三のヨーク７は第一のヨーク５２からより強い第一の磁気吸引力を受ける。つまり、可動接触子３５には、より大きな上向きの力が働く。
【０１３０】
従って、本実施形態の接点装置では、第一のヨーク５２と第三のヨーク７との間に働く第一の磁気吸引力が実施形態３に比べて大きく、接触子３５に対して更に大きな上向きの力が発生して、接点間の接圧の低下をより一層防止することができる。
【０１３１】
ここで、上記第一の磁気吸引力は、可動接触子３５に発生する接点反発力（下向きの力）とは、略１８０度反対方向の力（上向きの力）であるため、当該接点反発力を最も効率よく打ち消す方向に働く力となっている。
【０１３２】
従って、本実施形態の接点装置は、可動接触子３５が、実施形態３よりも更に強い第一の磁気吸引力で固定接点３２側へ吸引される。すなわち、本実施形態の接点装置は、負荷短絡時の電磁反発力に対する耐量をアップさせつつ、安定したアーク遮断性能を備えると共に、第三のヨーク７によって可動接触子３５が固定接点３２側へ押圧されて、より安定した接点の開閉性能を有している。
【０１３３】
また、本実施形態では、第一のヨーク５２が、ヨークと当接部の両方の機能を有していると共に、第一のヨーク５２と軸部５１とが一体に形成されて可動軸５が構成される。したがって、一つの部品（可動軸５）が、ヨーク及び当接部及び軸部の機能を有することで部品点数を削減することができる。
【０１３４】
また、本実施形態では、第一のヨーク５２と軸部５１とが一体成型されているが、第一のヨーク５２と軸部５１とを別々に成型した後に、第一のヨーク５２に軸部５１を嵌挿する等して一体に形成するものであってもよい。
【０１３５】
なお、本実施形態では、第一のヨーク５２は、磁性材料から形成されることで、当接部とヨークとの両方の機能を有したヨーク当接部として用いられているが、当接部５２を非磁性材料から形成して、別途ヨークを設けてもよい。その場合、第一のヨーク５２は、一対の固定端子３３の略中央に設けられると共に、可動軸の軸心に略対向して設けられる。
【０１３６】
加えて、第三のヨーク７における基部７ａの下面略中央には、略円環状の溝部７１ａが形成されており、当該溝部７１ａに接圧ばね３６の上端が嵌まり込むことで当該接圧ばね３６のすわりが安定し、可動接触子３５に接点反発力が発生した際に、当該可動接触子３５に均一な力が作用して接点反発力に対する耐力を安定して得ることができる。
【０１３７】
また、本実施形態の接点装置は、封止接点装置であってもよい。
【０１３８】
（実施形態６）
本実施形態の接点装置について図１７を用いて説明を行う。なお、本実施形態の接点装置と実施形態５の接点装置とでは、ヨーク当接部５３（第一のヨーク５３）の形状のみが異なり、実施形態４と共通する構造については、共通の符号を付して説明を省略する。なお、図１７における上下左右を基準とし、上下左右方向と直交する方向を前後方向として説明を行う。
【０１３９】
本実施形態の第一のヨーク５３は、図１７に示すように、略矩形平板状の基部５３ａと、当該基部５３ａの前後両端から下方へ向けて延設された一対の延設部５３ｂとから断面略コの字状に形成されている。
【０１４０】
そして、図１８に示すように、接点間が導通した際には、第一のヨーク５３の延設部５３ｂの先端面が、第三のヨーク７の延設部７ｂの先端面に近接し、第一のヨーク５３と第三のヨーク７との間に働く第一の磁気吸引力がより一層大きくなる。更に、延設部５３ｂの先端面と延設部７ｂの先端面との間のギャップが可動接触子３５の側端部の略中央に対向するように設定されることで、第一のヨーク５３と第三のヨーク７との間のギャップから発生する漏れ磁束を低減でき、第一のヨーク５３と第三のヨーク７との間に働く第一の磁気吸引力を実施形態４に比べてより一層高めることができる。つまり、可動接触子３５には、当該可動接触子３５の変位方向と略平行な更に大きな上向きの力が働く。
【０１４１】
従って、本実施形態の接点装置は、負荷短絡時の電磁反発力に対する耐量をアップさせつつ、安定したアーク遮断性能を備えると共に、実施形態４よりも更に強い力で可動接触子３５が固定接点３２側へ押圧されてより一層安定した接点の開閉性能を有している。
ここで、上記第一の磁気吸引力は、可動接触子３５に発生する接点反発力（下向きの力）とは、略１８０度反対方向の力（上向きの力）であるため、当該接点反発力を最も効率よく打ち消す方向に働く力となっている。
【０１４２】
また、本実施形態では、第一のヨーク５３が、ヨークと当接部の両方の機能を有していると共に、第一のヨーク５３と軸部５１とが一体に形成されて可動軸５が構成される。したがって、一つの部品（可動軸５）が、ヨーク及び当接部及び軸部の機能を有することで部品点数を削減することができる。
【０１４３】
また、本実施形態では、第一のヨーク５３と軸部５１とが一体成型されているが、第一のヨーク５３と軸部５１とを別々に成型した後に、第一のヨーク５３に軸部５１を嵌挿する等して一体に形成するものであってもよい。
【０１４４】
なお、本実施形態では、第一のヨーク５３は、磁性材料から形成されることで、当接部とヨークとの両方の機能を有したヨーク当接部として用いられているが、当接部５３を非磁性材料から形成して、別途ヨークを設けてもよい。その場合、第一のヨーク５３は、一対の固定端子３３の略中央に設けられると共に、可動軸の軸心に略対向して設けられる。
【０１４５】
また、本実施形態の接点装置は、封止接点装置であってもよい。
【０１４６】
（実施形態７）
本実施形態の接点装置について図１９、２０を用いて説明を行う。なお、図１９における上下左右を基準とし、上下左右方向と直交する方向を前後方向として説明を行う。
【０１４７】
本実施形態の接点装置は、固定接点３２が下端に設けられた固定端子３３と、固定接点３２に接離する可動接点６１を有する可動接触子６８と、可動接触子６８の上面に対向して配設される第一のヨーク６９と、可動接触子６８を固定接点３２側へ付勢する接圧ばね６５と、第一のヨーク６９を保持する保持部材６６と、保持部材６６と連結される可動軸６７と、可動接点６１が固定接点３２に接離するように可動軸６７を駆動させる電磁石ブロック２と、可動接触子６８の左端及び右端に各々対向する一対の永久磁石４６とを備えている。なお、固定接点３２、固定端子３３、電磁石ブロック２、永久磁石４６については、実施形態１と共通であるため同様の符号を付して説明を省略する。
【０１４８】
可動接触子６８は、略矩形板状に形成されて上面の長手方向（左右方向）両端側に可動接点６１がそれぞれ設けられている。
【０１４９】
第一のヨーク６９は、軟鉄等の磁性材料から平板状に形成され、可動接触子６２の上面に対向して設けられる。
【０１５０】
接圧ばね６５は、上端が可動接触子６８の下面略中央に当接し、可動接触子６８の下面略中央に突設される突部６８ａが、接圧ばね６５の上端側内径部に嵌挿する。
【０１５１】
保持部材６６は、略矩形板状の基部６６１と、基部６６１の前後方向両端から上方へそれぞれ延設される一対の狭持部６６２と、一対の狭持部６６２の先端が前後方向において内側へ向けて折曲されてなる当接部６６３とから構成される。
【０１５２】
そして、一対の狭持部６６２間に、下端が基部６６１の上面に当接する接圧ばね６５、及び接圧ばね６５に下面が押圧される可動接触子６８、及び下面が可動接触子６８の上面に対向して一対の狭持部６６２によって保持される第一のヨーク６９が配設される。
【０１５３】
ここで、保持部材６６における基部６６１の上面略中央には、略円柱状の突部６６４が突設されており、当該突部６６４が接圧ばね６５の下端側内径部に嵌挿する。これにより、接圧ばね６５が、基部６６１と可動接触子６８との間に圧縮状態で固定され、可動接触子６８を固定接点３２側（上方）へ付勢する。そして、接圧ばね６５の付勢力によって可動接触子６８は固定端子３３側（上方）へ移動しようとするが、可動接触子６８の上面が当接部６６３により上方への移動が規制された第一のヨーク６９に当接することで、固定接点３２側への移動が規制される。
【０１５４】
可動軸６７は、上下方向に長い略棒体状に形成されて下端側に電磁石ブロック２が接続され、上端に保持部材６６の基部６６１が固定される。
【０１５５】
そして、上記構成からなる本実施形態の接点装置では、駆動手段２によって可動軸６７が上方へ変位すると、それに伴って可動軸６７に接続された保持部材６６も上方へ変位する。すると、当該変位に伴って、保持部材６６に保持された第一のヨーク６９も上方へ移動し、これにより可動接触子６８に対する上方への移動の規制が解除される。そして、可動接触子６８は、接圧ばね６５の付勢力によって上方へ移動し、可動接触子６８に設けられた可動接点６１が固定接点３２に当接して接点間が導通する。
【０１５６】
ここで、接点間が導通して可動接触子６２に電流が流れることで、実施形態１の図４（ｂ）で説明した通り、可動接触子６８には上向きの電磁力（吸引力）が働く。つまり、可動接触子６８には、当該可動接触子６８の変位方向と略平行（鉛直上向き）の固定接点側への吸引力が働く。
【０１５７】
ここで、可動接触子６８に作用する鉛直上向きの吸引力は、可動接触子６８に発生する接点反発力（下向きの力）とは、１８０度反対方向の力であるため、当該接点反発力を最も効率よく打ち消す方向に働く力となっている。そのため、上記吸引力によって接点反発力を効率よく打ち消すことができ、接点間における接点圧の低下を低減することができる。
【０１５８】
従って、本実施形態の接点装置は、一対の永久磁石４６が設けられたことによって電流の方向に拠らず左右各接点で発生するアークを短絡することなく引き延ばし、更に、第一のヨーク６９が可動接触子３５を固定接点側へ吸引する、これにより、本実施形態の接点装置は、負荷短絡時の電磁反発力に対する耐量をアップさせつつ、安定したアーク遮断性能を備え、より安定した接点の開閉性能を得ることができる。
【０１５９】
なお、固定接点３２は、固定端子３３に一体に設けられるもの、若しくは、別体に設けられるもののいずれであってもよい。同様に、可動接点６１は、可動接触子６２に、一体に設けられるもの、若しくは、別体に設けられるもののいずれであってもよい。
【０１６０】
また、本実施形態の接点装置は、封止接点装置であってもよい。
【０１６１】
（実施形態８）
本実施形態の接点装置について図２１〜２５を用いて説明を行う。なお、図２１における上下左右を基準とし、上下左右方向と直交する方向を前後方向として説明を行う。
【０１６２】
本実施形態の接点装置は、固定接点３２が下端に設けられた固定端子３３と、固定接点３２に接離する可動接点６１を有する可動接触子６２と、可動接触子６２の上面に対向して配設される第一のヨーク６３と、可動接触子６２の下面に対向して配設される第三のヨーク６４と、可動接触子６２を固定接点３２側へ付勢するための接圧ばね６５と、第一のヨーク６３を保持する保持部材６６と、保持部材６６と連結される可動軸６７と、可動接点６１が固定接点３２に接離するように可動軸６７を駆動させる電磁石ブロック２と、可動接触子６８の左端及び右端に各々対向する一対の永久磁石４６とを備えている。なお、固定接点３２、固定端子３３、電磁石ブロック２、一対の永久磁石４６については、実施形態１と共通であるため同様の符号を付して説明を省略する。
【０１６３】
可動接触子６２は、略矩形板状に形成されて上面の長手方向（左右方向）両端側に可動接点６１がそれぞれ設けられている。また、可動接触子６２における各長辺の略中央には、略矩形状の切欠部６２ａが形成されている。
【０１６４】
第一のヨーク６３は、軟鉄等の磁性材料から断面略コの字状に形成され、可動接触子６２の上面に対向する略矩形板状の基部６３１と、基部６３１の両端が折曲されて下方へ延設されてなる一対の延設部６３２とから構成される。そして、第一のヨーク６３は、可動接触子６２の切欠部６２ａに延設部６３２が挿通することで可動接触子６２の左右方向の移動を規制する。
【０１６５】
第三のヨーク６４は、軟鉄等の磁性材料から略矩形板状に形成され、可動接触子６２の下面に固着されて可動接触子６２を介して第一のヨーク６３に対向する。そして、第一のヨーク６３における一対の延設部６３２の先端が、第三のヨーク６４における上面に対向し、可動接触子６２が、第一、第三のヨーク６３，６４に挟み込まれる。なお、本実施形態では、第三のヨーク６４が可動接触子６２に固着して当該可動接触子６２と一体に設けられているが、第三のヨーク６４は、可動接触子６２の下面に当接して当該可動接触子６２と別体に設けられるものであってもよい。
【０１６６】
接圧ばね６５は、上端が第三のヨーク６４の下面に当接し、第三のヨーク６４の下面略中央に突設される突部６４ａが、接圧ばね６５の上端側内径部に嵌挿する。
【０１６７】
保持部材６６は、略矩形板状の基部６６１と、基部６６１の前後方向両端から上方へそれぞれ延設される一対の狭持部６６２と、一対の狭持部６６２の先端が内側へ向けて折曲されてなる当接部６６３とから構成される。
【０１６８】
そして、一対の狭持部６６２間に、第一、第三のヨーク６３，６４に挟み込まれた可動接触子６２、及び接圧ばね６５が配設され、第一のヨーク６３は一対の狭持部６６２によって保持される。
【０１６９】
ここで、保持部材６６における基部６６１の上面略中央には、略円柱状の突部６６４が突設されており、当該突部６６４が接圧ばね６５の下端側内径部に嵌挿する。これにより、接圧ばね６５が、基部６６１と第三のヨーク６４との間に圧縮状態で固定され、第三のヨーク６４を介して可動接触子６２を固定接点３２側（上方）へ付勢する。そして、接圧ばね６５の付勢力によって可動接触子６２は固定端子３３側（上方）へ移動しようとするが、当該可動接触子６２の上面が当接部６６３により上方への移動が規制された第一のヨーク６３に当接することで、固定接点３２側への移動が規制される。
【０１７０】
可動軸６７は、上下方向に長い略棒体状に形成されて下端側に電磁石ブロック２が接続され、上端に保持部材６６の基部６６１が固定される。
【０１７１】
そして、上記構成からなる本実施形態の接点装置では、駆動手段２によって可動軸６７が上方へ変位すると、それに伴って可動軸６７に接続された保持部材６６も上方へ変位する。すると、当該変位に伴って、保持部材６６に保持された第一のヨーク６３も上方へ移動し、これにより可動接触子６２に対する上方への移動の規制が解除される。そして、可動接触子６２は、接圧ばね６５の付勢力によって第三のヨーク６４と共に上方へ移動し、可動接触子６２に設けられた可動接点６１が固定接点３２に当接して接点間が導通する。
【０１７２】
ここで、接点間が導通して可動接触子６２に電流が流れることで、可動接触子６２の周囲に磁場が発生し、図２３に示すように、第一、第三のヨーク６３，６４を通る磁束が形成される。これにより、当該第一、第三のヨーク６３，６４との間に磁気吸引力が発生して、第三のヨーク６４が第一のヨーク６３に吸引される。そのため、第三のヨーク６４が、可動接触子６２の下面を押圧して、当該可動接触子６２を固定接点３２側へ押し付ける上向きの力が働く。
【０１７３】
ここで、第三のヨーク６４に働く磁気吸引力は、可動接触子６２に発生する接点反発力（下向きの力）とは、略１８０度反対方向の力であるため、当該接点反発力を最も効率よく打ち消す方向に働く力となっている。
【０１７４】
従って、本実施形態の接点装置は、負荷短絡時の電磁反発力に対する耐量をアップさせつつ、安定したアーク遮断性能を備えると共に、第三のヨーク６４が可動接触子６２を固定接点３２側へ押圧することから、安定した接点の開閉性能を有している。
【０１７５】
また、接点間が導通した後、可動軸６７が更に固定接点３２側へ駆動された際（以下、オーバートラベル時と称す）、可動接触子６２は固定端子３３に当接して上方への移動が規制されているため、保持部材６６に保持された第一のヨーク６３が可動接触子６２から離間する。ここで、例えば、図２４（ａ）に示すように、第一のヨークとして略平板状のヨーク６３´を用い、第三のヨークとして略コの字状のヨーク６４´を用いた場合、ヨーク６３´の磁路とヨーク６４´の磁路とが連続しないため、ヨーク６３´とヨーク６４´との間で漏れ磁束が発生する。
【０１７６】
しかし、本実施形態の接点装置では、第一のヨーク６３が略コの字状に形成されていることから、オーバートラベル時においても、図２４（ｂ）に示すように、第一のヨーク６３の延設部６３２が可動接触子６２に接触するため、可動接触子６２を介して第一のヨーク６３の磁路と第三のヨーク６４の磁路とが連続して漏れ磁束が防止される。従って、第一のヨーク６３と第三のヨーク６４との間で漏れ磁束が発生することを防止でき、第三のヨーク６４に働く磁気吸引力の低下を防止することができる。
【０１７７】
更に、図２５に示すように、略コの字状の第一のヨーク６３は、可動接触子６２に対する対向面積Ｓ１が、平板状の第三のヨーク６４の可動接触子６２に対する対向面積Ｓ２に比べて大きいため、可動接触子６２からの磁束をより受け易く、更に、第一のヨーク６３の磁路長Ｌ１は、第三のヨーク６４の磁路長Ｌ２に比べて長くなっている。そのため、第一のヨーク６３の上下方向の厚みを厚くする方が、第三のヨーク６４の上下方向の厚みを厚くするよりも、第三のヨーク６４に働く磁気吸引力を効率的に増大させることができる。
【０１７８】
また、第一のヨーク６３は、第三のヨーク６４比べて固定端子３３の近くに位置し、当該固定端子３３からの磁束を受け易いため、第三のヨーク６４よりも磁束密度が高くなる。
【０１７９】
以上のことから、固定端子３３側の第一のヨーク６３を略コの字状に形成することで、第三のヨーク６４に対する磁気吸引力を効率的に増大させることができ、例えば、第一のヨーク６３を平板状とした場合に得られる第三のヨーク６４に対する磁気吸引力を、当該平板状のヨークに比べて厚みの薄い略コの字状のヨークで得ることができる。従って、第一のヨーク６３を略コの字状とすることで、第三のヨーク６４に対する磁気吸引力を保ちつつも当該第一のヨーク６３の厚みを抑えることができ、接点装置の小型化を図ることができる。
【０１８０】
なお、固定接点３２は、固定端子３３に一体に設けられるもの、若しくは、別体に設けられるもののいずれであってもよい。同様に、可動接点６１は、可動接触子６２に、一体に設けられるもの、若しくは、別体に設けられるもののいずれであってもよい。
【０１８１】
また、本実施形態の接点装置は、封止接点装置であってもよい。
【０１８２】
（実施形態９）
本実施形態の接点装置について図２６を用いて説明を行う。なお、本実施形態の接点装置は、実施形態１乃至８いずれか記載の接点装置において、一対の永久磁石４６間に永久磁石片４８を配置したものである。なお、実施形態１乃至８いずれの接点装置に永久磁石４８設けた場合であっても、同様の作用効果を得ることができるため、本実実施形態では、実施形態１の接点装置に永久磁石片４８を設けた場合についての説明を行う。以下、図２６における上下左右を基準とし、上下左右方向と直交する方向を前後方向として説明を行う。
【０１８３】
永久磁石片４８は、略直方体状に形成されて一対の永久磁石４６間の略中央に配設されて可動接触子３５の上面に対向し、更に、一対の第二のヨーク４７間の略中央に位置している。ここで、永久磁石４８は、一対の永久磁石４６及び一対の第二のヨーク４７それぞれに対して互いに対向する面が略平行となるように配設されている。
【０１８４】
そして、永久磁石片４８は、一対の永久磁石４６それぞれに対向する各面（第一の面）の極性が、当該第一の面に対向する永久磁石４６の面の極性とは異極（Ｎ極）に設定され、一対の第二のヨーク４７に対向する各面の極性が、第一の面の極性とは異極（Ｓ極）に設定されている。つまり、永久磁石片４８は、左右各側面の極性がＮ極に設定され、前後各側面の極性がＳ極に設定されている。そのため、一対の永久磁石４６間に発生する磁束は、永久磁石片４８に引き寄せられて当該永久磁石４６によって中継される。
【０１８５】
従って、本実施形態の接点装置は、永久磁石片４８が設けられたことで、一対の永久磁石４６間における漏れ磁束が抑制され、各接点部近傍の磁束密度が向上する。従って、永久磁石片４８を設けることで、各接点部近傍の磁束密度が高くなり、接点部に発生するアークを引き伸ばす力が増大してアーク遮断性能を更に向上させることができる。
【０１８６】
また、本実施形態の接点装置は、封止接点装置であってもよい。
【符号の説明】
【０１８７】
２  電磁石ブロック
３  接点ブロック
５  可動軸
６  第三のヨーク
７  第三のヨーク
３２  固定接点
３３  固定端子
３４  可動接点
３５  可動接触子
３６  接圧ばね
４６  永久磁石
４７  第二のヨーク
５１  軸部
５２  第一のヨーク（当接部、規制手段）
【図１】
0005629107.tif 000002
【図２】
0005629107.tif 000003
【図３】
0005629107.tif 000004
【図４】
0005629107.tif 000005
【図５】
0005629107.tif 000006
【図６】
0005629107.tif 000007
【図７】
0005629107.tif 000008
【図８】
0005629107.tif 000009
【図９】
0005629107.tif 000010
【図１０】
0005629107.tif 000011
【図１１】
0005629107.tif 000012
【図１２】
0005629107.tif 000013
【図１３】
0005629107.tif 000014
【図１４】
0005629107.tif 000015
【図１５】
0005629107.tif 000016
【図１６】
0005629107.tif 000017
【図１７】
0005629107.tif 000018
【図１８】
0005629107.tif 000019
【図１９】
0005629107.tif 000020
【図２０】
0005629107.tif 000021
【図２１】
0005629107.tif 000022
【図２２】
0005629107.tif 000023
【図２３】
0005629107.tif 000024
【図２４】
0005629107.tif 000025
【図２５】
0005629107.tif 000026
【図２６】
0005629107.tif 000027
【図２７】
0005629107.tif 000028
【図２８】
0005629107.tif 000029